(57)【要約】【課題】舞台の対象面に対する照明範囲を正確に規制できるとともに、照明範囲に高度な均斉度が得られる舞台用照明装置を提供する。【解決手段】舞台用照明装置１０は、ホリゾント幕２１を照明するために、内部に反射面を備える略箱状の本体１２と、本体１２に収容される光源１３とを有し、光源１３と本体１２の開口１７における縁部との間に設けられた遮光部材３０により開口からの照射開度を選択可能である。【選択図】図１
2007122955.tif 000002
【特許請求の範囲】
【請求項１】
演劇等を行う舞台の立面および前記立面を背景とする床面のうちの一方を対象面として照明する舞台用照明装置であって、
一面が開口し、内部に前記開口に臨んで反射面を備える略箱状の本体と、
前記反射面および前記開口に臨んで前記本体に収容される光源とを有し、
前記光源と前記本体の開口における縁部との間に設けられた遮光部材により前記開口からの照射角を選択可能である舞台用照明装置。
【請求項２】
請求項１に記載した舞台用照明装置であって、
前記遮光部材が、前記光源の照明光軸線に対して交差する方向に沿って配置された板状であるとともに、当該遮光部材の面方向に沿って移動可能に設けられている舞台用照明装置。
【請求項３】
請求項１に記載した舞台用照明装置であって、
前記遮光部材が、前記光源の照明光軸線に対して交差する方向に沿って配置された板状であるとともに、当該遮光部材の表面に複数の折り取り用または折り曲げ用の溝が設けられている舞台用照明装置。
【請求項４】
請求項１に記載した舞台用照明装置であって、
前記遮光部材が前記本体に対して着脱可能に設けられている舞台用照明装置。
【請求項５】
請求項１に記載した舞台用照明装置であって、
前記舞台の上方から下方を照明するために、
前記舞台の上方に設けられているとともに袖方向に沿って横設された取付軸に取付可能な取付部を有し、
前記遮光部材が、前記開口の下端縁部から前記光源の照明光軸線に対して交差する方向に沿って設けられている舞台用照明装置。
【発明の詳細な説明】
【技術分野】
【０００１】
本発明は舞台用照明装置に係り、例えば舞台のホリゾント幕を照明するアッパーホリゾントライト，ロアーホリゾントライト，床面を照明するボーダーライト等の舞台用照明装置に関するものである。
【背景技術】
【０００２】
図７に示すように、屋内あるいは屋外において演劇，舞踏等が行われる舞台７１は、観客に対面する立面であるホリゾント幕７２がアッパーホリゾントライトと呼ばれる舞台用照明装置７０により照明される。
舞台用照明装置７０は、一面が開口し、内部に開口に臨んで反射面を備える略箱状の本体７３と、反射面および開口７７に臨んで本体７３に収容される光源７４とを有し、舞台７１の上方において袖方向（図７中、紙面奥行方向）に沿って横設された取付軸７５に取付部７６を介して取り付けられる。
【０００３】
この舞台用照明装置７０は、取付軸７５に対して取付部７６を介して本体７３を回動させ、本体７３の開口７７を若干下方に向けた任意位置で固定することにより、舞台上方の梁７８等に照明光が干渉せず、かつ、舞台７１の床面７９の上方から下方に向けてホリゾント幕７２を照明可能となっている。
【０００４】
このような舞台用照明装置７０は、開口７７の配向により照明光の照射方向が決定され、開口７７の開口寸法あるいは縁部形状により照明光の照射角が決定されている。
ここで、照射方向とは照明光軸線Ｃの方向を指し、照射角とは照明光の拡がり角度θを指す。
【０００５】
ところで、ホリゾント幕７２に対する舞台用照明装置７０の相対位置は、舞台７１の規模や構造等により様々となっている。
このため、図８（Ａ）に示すように、ホリゾント幕７２に対する舞台用照明装置７０の離間寸法Ｄ１が大き過ぎる場合、あるいは床面７９に対する舞台用照明装置７０の設置高さ寸法Ｈ１が小さ過ぎる場合、照射角が同じであれば照明光の照射範囲が床面７９の一部まで及び、その結果、床面７９に生じた不必要な照明（図８（Ａ）中、楕円部分参照）により演出効果が損なわれるという問題が生ずる。
【０００６】
特に、ホリゾント幕７２に対する舞台用照明装置７０の離間寸法Ｄ１が大き過ぎる場合には、ホリゾント幕７２に対する照明光の照射範囲が広くなるため単位面積当たりの光度が減少し、結果的に所望の明るさが得られない可能性がある。
【０００７】
一方、図８（Ｂ）に示すように、ホリゾント幕７２に対する舞台用照明装置７０の離間寸法Ｄ２が小さ過ぎる場合、あるいは床面７９に対する舞台用照明装置７０の設置高さ寸法Ｈ２が大き過ぎる場合、照射角が同じであればホリゾント幕７２の下端まで照明光が届かないため（図８（Ｂ）中、楕円部分参照）、舞台演出上、必要な照明が得られないという問題が生ずる。
【０００８】
特に、ホリゾント幕７２に対する舞台用照明装置７０の離間寸法Ｄ２が小さ過ぎる場合には、ホリゾント幕７２に対する照明光の照射範囲が狭くなるため単位面積当たりの光度が増加し、結果的に不必要な明るさとなる可能性がある。
【０００９】
これらのような不都合を解消するために、取付軸７５に対して取付部７６を介して本体７３を回動させることにより照明光の照射方向を上向きあるいは下向きに設定することが考えられる。
しかしながら、照射方向を上向きに設定すると、舞台上方の梁７８等に照明光が干渉して陰影や反射光がホリゾント幕７２に生じる虞れがある。また、照射方向を下向きに設定すると、ホリゾント幕７２の上方に照明光が届かずに舞台演出に必要な明かりが作れない虞れがある。
そして、照射方向を上向きあるいは下向きに設定した場合には、ホリゾント幕７２に対する光源７４からの照明光の伸び方が変化するため、均斉度が低くなる可能性もある。
【００１０】
このような問題に対して、角度調整板により本体に対する蛍光灯の配列を変化可能なホリゾントライトが提案されている（特許文献１）。
特許文献１によれば、蛍光灯の取付角度を調整することにより照明光の広がり範囲を調整可能とされている。
【特許文献１】特開２０００−２６０２１１号公報
【発明の開示】
【発明が解決しようとする課題】
【００１１】
しかしながら、前述した特許文献１は、光源を収容する本体が箱状ではないため、本体から照明光を照射する方向以外に不必要な光が漏れ、舞台演出上、不必要な個所を照明する虞れがある。
このように、前述した特許文献１は、照明光の照射範囲を正確に規制できないという問題がある。
【００１２】
以上のような問題は、ホリゾント幕を上方からアッパーホリゾントライトにより照明する場合にのみ生ずるものではなく、ホリゾント幕を下方から照明するロアーホリゾントライトや舞台の床面を照明するボーダーライト等にも同様に生ずる。
【００１３】
本発明は、前述した問題を解決するためになされたものであり、その目的は、舞台の対象面に対する照明範囲を正確に規制できるとともに、照明範囲に高度な均斉度が得られる舞台用照明装置を提供することにある。
【課題を解決するための手段】
【００１４】
前述した目的を達成するために、本発明の舞台用照明装置は、演劇等を行う舞台の立面および前記立面を背景とする床面のうちの一方を対象面として照明する舞台用照明装置であって、一面が開口し、内部に前記開口に臨んで反射面を備える略箱状の本体と、前記反射面および前記開口に臨んで前記本体に収容される光源とを有し、前記光源と前記本体の開口における縁部との間に設けられた遮光部材により前記開口からの照射角を選択可能となっている。
【００１５】
ここで、立面としては、ホリゾント幕や、舞台の背景となる壁面や舞台装置等を例示できる。
また、遮光部材としては、例えば板状に形成しておくとともに、照明光軸線に対して交差配置しておき、シャッターのように面方向に沿って移動させて任意位置において固定することにより照射角を選択する構造や、あるいは表面に設けられた複数の溝のうちのいずれかを境界として先端側を折り取るか、折り曲げることにより照射角を選択する構造等を採用すればよい。
このような遮光部材は、光源と開口の縁部との間の任意位置に配置しておけばよく、本体に収容されていてもよい。
【００１６】
このように構成された本発明においては、光源が本体に収容されているため、照明光を照射する照射方向以外の方向に光が漏れる虞れがなく、舞台の対象面に対する照明範囲を正確に規制できることになる。
そして、本発明においては、光源と本体の開口における縁部との間に設けられた遮光部材により照射角を選択可能であるため、例えばホリゾント幕等の対象面に対する本体の離間寸法が大き過ぎて、対象面ではない床面にまで照明光が及ぶ場合、遮光部材を操作して床面に至る照明光を遮光することにより、照明範囲の均斉度を低下させることなく、対象面にのみ照明光を正確に照射できることになる。
【００１７】
さらに、本発明の舞台用照明装置は、前述した舞台用照明装置であって、前記遮光部材が、前記光源の照明光軸線に対して交差する方向に沿って配置された板状であるとともに、当該遮光部材の面方向に沿って移動可能に設けられている。
【００１８】
ここで、遮光部材としては、例えば複数の板状部材を照明光軸線に沿って積層させておき、各板状部材を連係させて略階段状に伸縮させる構造等を採用できる。
このように構成された本発明においては、板状の遮光部材が照明光軸線に対して交差する方向に沿って移動可能であるため、遮光範囲を容易、かつ、任意に設定できることになる。
【００１９】
また、本発明の舞台用照明装置は、前述した舞台用照明装置であって、前記遮光部材が、前記光源の照明光軸線に対して交差する方向に沿って配置された板状であるとともに、当該遮光部材の表面に複数の折り取り用または折り曲げ用の溝が設けられている。
ここで、溝としては、遮光部材の表裏いずれか、あるいは双方に設けられていてもよく、断面形状，数，間隔等は任意である。
【００２０】
このように構成された本発明においては、遮光部材の表面に複数の溝が設けられているため、各溝のうちのいずれかを境界として先端側を折り取るか、折り曲げることにより遮光範囲を容易、かつ、任意に設定できることになる。
【００２１】
そして、本発明の舞台用照明装置は、前述した舞台用照明装置であって、前記遮光部材が前記本体に対して着脱可能に設けられている。
このように構成された本発明においては、遮光部材が本体に対して着脱可能であるため、例えば寸法，形状等が異なる複数種類のうちのいずれかの遮光部材を選択的に本体に取り付けることにより、遮光範囲を容易、かつ、任意に設定できることになる。
【００２２】
さらに、本発明の舞台用照明装置は、前述した舞台用照明装置であって、前記舞台の上方から下方を照明するために、前記舞台の上方に設けられているとともに袖方向に沿って横設された取付軸に取付可能な取付部を有し、前記遮光部材が、前記開口の下端縁部から前記光源の照明光軸線に対して交差する方向に沿って設けられている。
【００２３】
このように構成された本発明においては、舞台のホリゾント幕を上方から照明するアッパーホリゾントライトとして好適である。
【００２４】
なお、本発明においては、遮光部材が開口の下端縁部に設けられていれば、ホリゾント幕等の対象面に対して、あらかじめ舞台上方の梁等に照明光が干渉しないように照明光の照射角度を設定して照明範囲の上端を決定した後、遮光部材を操作して照明範囲の下端を選択するという極めて簡単な作業手順により、正確な照明範囲が高い均斉度で得られることになる。
【発明の効果】
【００２５】
本発明によれば、光源が本体に収容されているため、照明光を照射する照射方向以外の方向に光が漏れる虞れがなく、遮光部材を操作して照明光を適宜遮光することにより、照明範囲の均斉度を低下させることなく、対象面にのみ照明光を正確に照射できるという効果が得られる。
【発明を実施するための最良の形態】
【００２６】
以下、本発明の実施形態を図面に基づいて詳細に説明する。
図１は本発明の第１実施形態を示す模式側面、図２は第１実施形態の正面図および側面図、図３は第１実施形態の遮光部材を示す分解斜視図である。
【００２７】
図１に示すように、本発明の第１実施形態である舞台用照明装置１０は、演劇等を行う舞台２０の背景となる立面としてのホリゾント幕２１を対象面として照明するアッパーホリゾントライトとされている。
図２（Ａ）および図２（Ｂ）に示すように、舞台用照明装置１０は、一面が開口し、内部に開口に臨んで内部に複数の反射面１１を備える略箱状の本体１２と、反射面１１および開口１７に臨んで本体１２に収容される光源１３と、光源１３に給電するための給電線１４と、舞台２０の上方に設けられた取付軸２２に本体１２を取り付けるための取付部１５と、本体１２が落下することを防止するために取付軸２２とは別の個所に連結される落下防止ワイヤ１６とを含んで構成されている。
本体１２は、開口１７からのみ照明光が照射され、他の個所から照明光が漏れる虞れはない。
【００２８】
この舞台用照明装置１０は、本発明に基づいて、光源１３と本体１２の開口１７における縁部との間、具体的には開口１７における下端縁部に遮光部材３０が設けられている。
【００２９】
図３にも示すように、遮光部材３０は、互いに厚み方向に積層された略帯状の第１板部材３１および第２板部材３２を有している。
第１板部材３１は、幅方向（長手方向に対して直交する方向）の一端縁が本体１３に固定されているとともに、長手方向両端部にそれぞれ雌ネジ孔３４，３４が形成されている。
一方、第２板部材３２は、雌ネジ孔３４，３４に対応して長孔３３，３３が設けられている。これらの長孔３３，３３は、第２板部材３２の幅方向に沿って互いに平行に連続している。
【００３０】
なお、雌ネジ孔３４，３４は、第１板部材３１の所定位置にタッピング加工を行うことにより形成すればよいが、第１板部材３１の厚み寸法が小さくて雌ネジ長さが確保できない場合には先にバーリング加工を施してもよい。
【００３１】
この遮光部材３０は、固定ネジ３５，３５を長孔３３，３３に挿通させてから雌ネジ孔３４，３４に螺合することにより、第１板部材３１および第２板部材３２が互いに厚み方向に沿って分離不可能に積層され、かつ、長孔３３，３３の連続長さの範囲で第１板部材３１および第２板部材３２が互いに幅方向に沿って相対的に移動可能となっている。
【００３２】
このような遮光部材３０は、第１板部材３１および第２板部材３２が光源１３の照明光軸線に対して交差する方向に沿って配置されている。
従って、遮光部材３０は、固定ネジ３５，３５を緩め、第１板部材３１に対して第２板部材３２を面方向に沿って移動させて適宜な位置で固定することにより、本体１２の開口１７から照射される照明光の照射角を選択可能となっている。
【００３３】
図１に戻って、以上のような舞台用照明装置１０は、舞台２０の床面２３の上方に配置された取付軸２２に取付部１５を介して本体１２が取り付けられ、取付軸２２に対して本体１２を適宜回動させ、舞台２０の梁２４等に照明光が干渉することなくホリゾント幕２１を照明できるように固定される。
この舞台用照明装置１０は、照射角θ１の照明光が開口１７から照射される。
【００３４】
そして、ホリゾント幕２１や床面２３に対する本体１２の位置により照明光の照射範囲が床面２３まで及ぶ場合（図１中、二点鎖線参照）、遮光部材３０を構成する第１板部材３１を第２板部材３２に対して突出するように移動させて照明光を一部遮光する。
これにより照射角θ２が得られ（図１中、実線参照）、照明光の照射範囲がホリゾント幕２１に対してのみ収束するように調整される。
【００３５】
以上のような第１実施形態の舞台用照明装置１０によれば、光源１３が本体１２に収容されて照明光を照射する照射方向以外の方向に光が漏れる虞れがないため、従来と同様にホリゾント幕２１に対する照明範囲を正確に規制できる。
【００３６】
その上で、第１実施形態の舞台用照明装置１０によれば、本体１２の開口１７における下端縁部に設けられた遮光部材３０により照射角θ１から照射角θ２までの範囲で任意に選択可能であるため、遮光部材３０を適宜操作して床面２３に至る照明光を遮光することにより、梁２４等の構造材に照明光が干渉する不都合や、照明範囲の均斉度を低下させることなく、ホリゾント幕２１にのみ照明光を正確、かつ、容易に照射できる。
【００３７】
図４には、本発明の第２実施形態である舞台用照明装置４０の遮光部材５０が示されている。
遮光部材５０は、互いに厚み方向に積層された略帯状の第１板部材５１，第２板部材５２および第３板部材５３（５３Ａ〜５３Ｄ）を有している。
【００３８】
第１板部材５１は、前述した第１実施形態の第１板部材３１と同様に雌ネジ孔５４が形成され、図示しない本体に固定されている。
第２板部材５２は、前述した第１実施形態の第２板部材３２と同様に長孔５５が設けられているが、この長孔５５は第３板部材５３側の縁部全周にテーパ面５５Ａが設けられている。
【００３９】
これにより、皿状の頭部を有する固定ネジ５６を長孔５５に挿通させてから雌ネジ孔５４に螺合することにより、固定ネジ５６の頭部がテーパ面５５Ａに対応する位置に収容され、これにより固定ネジ５６の頭部が第２板部材５２から突出しないようになっている。
従って、第２板部材５２に対して第３板部材５３（５３Ａ〜５３Ｄ）を面方向に沿って移動させる際に、固定ネジ５６の頭部が第３板部材５３（５３Ａ〜５３Ｄ）に干渉する虞れはない。
【００４０】
第３板部材５３（５３Ａ〜５３Ｄ）は、前述した第１実施形態の第２板部材３２と同様に長孔５６（５６Ａ〜５６Ｄ）が設けられている。
これらの第３板部材５３（５３Ａ〜５３Ｄ）は、互いに異なる幅方向寸法および長孔５６（５６Ａ〜５６Ｄ）の連続長さ寸法を有している。そして、これらの第３板部材５３（５３Ａ〜５３Ｄ）は、第２板部材５２に設けられた雌ネジ孔５７から固定ネジ５８を取り外すことにより、第２板部材５２から容易に取り外し可能であるとともに、用途に応じて第２板部材５２に対して選択的に取付可能となっている。
【００４１】
以上のような第２実施形態の舞台用照明装置４０によれば、前述した第１実施形態と同様に、ホリゾント幕に対する照明範囲を正確に規制できるとともに、遮光部材５０を適宜操作して照明光を遮光することにより、構造材に照明光が干渉する不都合や、照明範囲の均斉度が低下させることなく、ホリゾント幕にのみ照明光を正確、かつ、容易に照射できるという効果が得られる。
【００４２】
その上で、第２実施形態の舞台用照明装置４０によれば、第１板部材５１，第２板部材５２および第３板部材５３（５３Ａ〜５３Ｄ）により遮光部材５０が構成されているため、第１実施形態に比較して照明光の照射開度を調整できる範囲が広く、かつ、第３板部材５３（５３Ａ〜５３Ｄ）を適宜選択することにより、照射開度を調整できる範囲を任意に選択できる。
【００４３】
図５および図６には、本発明の第３実施形態である舞台用照明装置６０の遮光部材６５が示されている。
遮光部材６５は、光源１３（図６参照）の照明光軸線に対して交差する方向に沿って配置された板状の遮光板６６を有しているとともに、光源１３に対面する表面に複数の溝６７が設けられている。
溝６７は断面略Ｖ字状とされ、遮光板６６の長手方向（図６中、紙面奥行方向）に沿って直線状に連続形成されている。これらの溝６７は、遮光板６６の幅方向に沿って等間隔で配列されている。
【００４４】
このような遮光部材６５は、任意の溝６７を境界として遮光板６６を折り曲げ、先端部分６６Ａを折り取るか（図５中、二点鎖線参照）、あるいは任意位置から折り曲げることにより幅方向側縁位置を選択可能となっている（図５中、三点鎖線参照）。
【００４５】
従って、図６に示すように、舞台２０の梁２４等に照明光が干渉することなくホリゾント幕２１を照明できるように固定された舞台用照明装置６０は、開口１７から照射される照明光の照射角θ３（図６中、二点鎖線参照）が小さ過ぎてホリゾント幕２１の下端まで照明光が届かない場合、遮光部材６５における溝６７を任意に選択して遮光板６６を部分的に折り取るか、あるいは折り曲げることにより拡大された照射角θ４が得られる（図６中、実線参照）。
これにより、照明光の照射範囲がホリゾント幕２１の所定個所まで到達して所望の演出効果が得られる。
【００４６】
以上のような第３実施形態の舞台用照明装置６０によれば、あらかじめ照明光を部分的に遮光していた遮光部材６５の幅方向側縁位置を選択することにより、照射角度を拡大して所望の範囲を確実に照明できる。
この際、第３実施形態の舞台用照明装置６０によれば、光源１３からの照明光の伸び方が変化することもなく、ホリゾント幕２１における照明光の均斉度が低くなる虞れもない。
【００４７】
なお、本発明の舞台用照明装置は、前述した各実施形態に限定されるものでなく、適宜な変形，改良等が可能である。
例えば、前述した各実施形態において、舞台用照明装置として舞台のホリゾント幕を上方から照明するアッパーホリゾントライトを例示したが、本発明の舞台用照明装置はロアーホリゾントライトや床面を照明するボーダーライト等にも適用可能である。
【００４８】
その他、前述した各実施形態において例示した本体，光源，取付部，開口，ホリゾント幕等の対象面，取付軸，床面，遮光部材，溝，照明光軸線，照射開度の材質，形状，寸法，形態，数，配置個所等は本発明を達成できるものであれば任意であり、限定されない。
【産業上の利用可能性】
【００４９】
以上のように、本発明の舞台用照明装置は、遮光部材を操作することにより、照明光の照射角度を変更することなく舞台の対象面に対する照明範囲を正確に規制できるとともに、照明範囲に高度な均斉度が得られるため、アッパーホリゾントライト，ロアーホリゾントライト，ボーダーライト等の舞台用照明装置として有用である。
【図面の簡単な説明】
【００５０】
【図１】本発明の第１実施形態を示す模式側面図
【図２】第１実施形態を示す正面図および側面図
【図３】第１実施形態の遮光部材を示す分解斜視図
【図４】本発明の第２実施形態の遮光部材を示す分解斜視図
【図５】本発明の第３実施形態の遮光部材を示す分解斜視図
【図６】本発明の第３実施形態を示す模式側面図
【図７】従来の舞台用照明装置と舞台との関係を示す側面図
【図８】従来の舞台用照明装置の問題点を示す側面図
【符号の説明】
【００５１】
１０，４０，６０  舞台用照明装置
１２  本体
１３  光源
１５  取付部
１７  開口
２１  ホリゾント幕（対象面）
２２  取付軸
２３  床面
３０，５０，６５  遮光部材
６７  溝
Ｃ  照明光軸線
【図１】
2007122955.tif 000003
【図２】
2007122955.tif 000004
【図３】
2007122955.tif 000005
【図４】
2007122955.tif 000006
【図５】
2007122955.tif 000007
【図６】
2007122955.tif 000008
【図７】
2007122955.tif 000009
【図８】
2007122955.tif 000010